(57)【要約】【課題】廃熱が十分に利用される有機性排水処理装置を提供する。【解決手段】原水は固液分離器１により固形分と液分とに分離される。この固形分と液分は、配管２を介して好気生物排水処理部３に送られ、散気管４からの曝気を受けて好気的に生物処理される。好気生物排水処理部３で生物処理された液は、沈殿部６に送られ、固液分離され、液分は処理水として取り出される。沈殿した固形分は、ポンプ７及び移送用配管８を介して前記固液分離器１に移送される。固液分離器１からの固形分は、高温好気発酵処理部１１へ送られる。高温好気発酵処理部の排気口１５からは、加温された空気や発酵反応により生成した炭酸ガス、水蒸気が配管１６を介して前記散気管４へ送り出される。【選択図】図１
2005052739.tif 000002
【特許請求の範囲】
【請求項１】
有機性排水を固形分と液分とに分離する固液分離手段と、
該固液分離手段からの該固形分を処理する固形分処理手段及び該液分を処理する液分処理手段と
を有する有機性排水処理装置において、
該固形分処理手段が発酵分解処理手段又は高温好気処理手段であり、
該固形分処理手段からの廃熱を前記液分処理手段の加熱熱源とするよう構成したことを特徴とする有機性排水処理装置。
【請求項２】
請求項１において、該発酵分解処理手段は好気発酵分解処理手段又は嫌気発酵分解処理手段であることを特徴とする有機性排水処理装置。
【請求項３】
有機性排水を固形分と液分とに分離する固液分離手段と、
該固液分離手段からの該固形分を処理する固形分処理手段及び該液分を処理する液分処理手段と
を有する有機性排水処理装置において、
該固形分処理手段が温排風を発生させる処理手段であり、
該液分処理手段は曝気処理手段であり、
該固形分処理手段からの温排風を該曝気処理手段の曝気空気としたことを特徴とする有機性排水処理装置。
【請求項４】
請求項３において、該固形分処理手段は乾燥手段であることを特徴とする有機性排水処理装置。
【発明の詳細な説明】
【技術分野】
【０００１】
本発明は有機性排水の処理装置に係り、特に有機性排水を固形分と液分とに固液分離し、さらにこの固形分と液分とを処理するようにした有機性排水処理装置に関する。詳しくは、固形分の処理時の廃熱（温排風を含む。）を液分の処理に利用するようにした有機性排水処理装置に関する。
【背景技術】
【０００２】
有機性廃棄物を固形物と液状物とに固液分離した後、固形物を乾燥し、この乾燥時の余熱により液状物を加熱し、次いで浄化処理することが特開平３−２０７４９９号公報に記載されている。
【特許文献１】特開平３−２０７４９９号公報
【発明の開示】
【発明が解決しようとする課題】
【０００３】
本発明は、上記特開平３−２０７４９９号公報よりもさらに廃熱が十分に利用される有機性排水処理装置を提供することを目的とする。
【課題を解決するための手段】
【０００４】
本発明の有機性排水処理装置は、有機性排水を固形分と液分とに分離する固液分離手段と、該固液分離手段からの該固形分を処理する固形分処理手段及び該液分を処理する液分処理手段とを有する有機性排水処理装置において、該固形分処理手段が発酵分解処理手段又は高温好気処理手段であり、該固形分処理手段からの廃熱を前記液分処理手段の加熱熱源とするよう構成したことを特徴とするものである。
【０００５】
この発酵分解処理手段は、好気性、嫌気性のいずれの発酵分解処理手段でもよい。
【０００６】
第２発明の有機性排水処理装置は、有機性排水を固形分と液分とに分離する固液分離手段と、該固液分離手段からの該固形分を処理する固形分処理手段及び該液分を処理する液分処理手段とを有する有機性排水処理装置において、該固形分処理手段が温排風を発生させる処理手段であり、該液分処理手段は曝気処理手段であり、該固形分処理手段からの温排風を該曝気処理手段の曝気空気としたことを特徴とするものである。
【０００７】
この固形分処理手段としては、乾燥手段が例示される。
【発明の効果】
【０００８】
第１発明の有機性排水処理装置によると、固形分を発酵分解処理するときの廃熱を液分処理に利用することができる。
【０００９】
第２発明の有機性排水処理装置によると、固形分処理時の温排風を曝気空気として用いることにより、曝気槽内の温度を高めて効率良く曝気処理することができる。また、固形分処理に伴って発生した臭気成分が曝気槽中の処理により分解処理され、臭気除去処理も併せて行われる。
【発明を実施するための最良の形態】
【００１０】
以下、図面を参照して本発明の一例について説明する。第１図〜第４図はそれぞれ本発明の有機性排水処理装置を示す系統図である。
【００１１】
第１図の有機性排水処理装置では、原水は固液分離器（この場合、スクリーン１ａを有した濾過器）１により固形分と液分とに分離される。この固形分と液分は、配管２を介して好気生物排水処理部３に送られ、散気管４からの曝気を受けて好気的に生物処理される。好気生物排水処理部３で生物処理された液は、沈殿部６に送られ、固液分離され、液分は処理水として取り出される。沈殿した固形分は、ポンプ７及び移送用配管８を介して前記固液分離器１に移送される。
【００１２】
固液分離器１からの固形分は、高温好気発酵処理部１１へ送られる。この高温好気発酵処理部１１には木片チップ、おが屑などの媒体が収容されており、固形分は該媒体と共に攪拌羽根１２によって攪拌される。この攪拌羽根１２はモータ１１によって回転される。この媒体と固形分との混合物中に送風機１３から空気が吹き込まれると共に、該混合物が加温装置１４（例えば電気ヒータなど）によって加温される。
【００１３】
高温好気発酵処理部の排気口１５からは、加温された空気や発酵反応により生成した炭酸ガス、水蒸気が配管１６を介して前記散気管４へ送り出される。この散気管４からの散気により好気生物排水処理部３内の水が曝気される。この散気管４へ送られる空気等は、高温好気発酵処理部１１で加温されたものであるため、好気生物排水処理部３内の水の温度が高くなる。このため、好気生物排水処理部３における処理効率が向上する。また、高温好気発酵処理部１１で発生した臭気成分が好気生物排水処理部３で併せて処理される。
【００１４】
なお、固液分離器１としては、沈降式固液分離器や、パンチングプレート内にスクリュコンベアを配置したものなど、各種のものを用いることができる。
【００１５】
第２図の有機性排水処理装置では、高温好気発酵処理部１１の代りに乾燥処理部２０が設けられている。
【００１６】
固液分離器１からの固形分は、配管１０を介してこの乾燥処理部２０へ導入される。乾燥処理部２０には、モータ２２によって回転される攪拌羽根２１が設置されていると共に、モータ２４によって回転されるファン２３、加温装置２５が設けられている。空気や水蒸気は、配管２７、切換弁２８、送風機２９を介して散気管４へ供給される。
【００１７】
なお、切換弁２８は、乾燥処理部２０からの排気の代りに、あるいは該排気に付加するようにして、空気を散気管４へ送り込むことができるようにするためのものである。
【００１８】
乾燥処理部２０は、例えばバッチ運転処理され、十分に乾燥した固形分が間欠的に取り出される。ただし、連続運転方式としてもよい。
【００１９】
第２図のその他の構成は第１図と同様であり、同一符号は同一部分を示している。
【００２０】
この第２図の有機性排水処理装置においても、乾燥処理部２０からの加温された排気が散気管４に供給されるので、好気生物排水処理部３の水温が高くなり、効率良く処理が行われる。また、乾燥処理部２０で発生した臭気成分が好気生物排水処理部３で処理される。
【００２１】
第３図の有機性排水処理装置では、固液分離器１からの液分は、配管２を介して好気生物排水処理部３０へ送られる。この好気生物排水処理部３０では、散気管３１に対し送風機３２から大気が供給されている。好気生物排水処理部３０からの処理液は、沈殿部３５へ送られて沈降分離処理がなされ、液分は処理水として取り出される。沈降した固形分は、ポンプ３６及び配管３７を介して固液分離器へ移送される。
【００２２】
固液分離器１からの固形分は、配管１０を介して高温好気発酵処理部１１へ送られる。この高温好気発酵処理部１１の構成は第１図のものと同一である。なお、この高温好気発酵処理部１１の排気は散気管３１へ供給されていないが、散気管３１へ供給するようにしてもよい。
【００２３】
この第３図の有機性排水処理装置では、高温好気発酵処理部１１の外面（好ましくは下部）から伝熱フィン３８が突設されており、この伝熱フィン３８を介して発酵反応熱が好気生物排水処理部３０へ伝播するよう構成されている。これにより、好気生物排水処理部３０内の水温が高くなり、効率良く処理が行われるようになる。
【００２４】
伝熱フィンの代りにヒートパイプ等の伝熱手段が用いられてもよい。
【００２５】
第４図の有機性排水処理装置では、沈降分離式の固液分離器４０からの液分が配管４３を介して好気生物排水処理部３へ導入されている。この好気生物排水処理部３及びそれに隣接する沈降部６の構成は第１図と同一である。沈降部６で沈降した固形分は、ポンプ７及び配管８を介して液中処理方式の高温好気処理部５０へ移送される。なお、この固形分は、配管８’を介して固液分離器４０へ移送されてもよい。
【００２６】
この高温好気処理部５０へは、固液分離器４０からの固形分がポンプ４１及び配管４２を介して導入される。
【００２７】
高温好気処理部５０内では、固形分は、加温装置５３で加温されると共に送風機５１から送気された散気管５２からの散気を受けて高温好気処理される。高温好気処理部５０からの排気は、排気口５４、配管５５を介して散気管４へ送られる。この排気の温度が高いので、好気生物排水処理部３の水温が高くなり、効率よく処理が行われる。また、高温好気処理部５０で発生した臭気成分が好気生物排水処理部３で処理される。
【００２８】
上記第１図〜第４図は本発明の一例を示すものであり、本発明は図示以外の形態をもとりうる。加温装置１４，２５，５３としては、電気ヒータ等が好適であるが、これに限定されない。
【図面の簡単な説明】
【００２９】
【図１】本発明の有機性排水処理装置の一例を示す系統図である。
【図２】本発明の有機性排水処理装置の一例を示す系統図である。
【図３】本発明の有機性排水処理装置の一例を示す系統図である。
【図４】本発明の有機性排水処理装置の一例を示す系統図である。
【符号の説明】
【００３０】
１，４０  固液分離器
３，３０  好気生物排水処理部
４  散気管
６，３５  沈殿部
１１  高温好気発酵処理部
１２  攪拌羽根
１３  送風機
１４，２５，５３  加温装置
２０  乾燥処理部
２３  ファン
５０  高温好気処理部（液中処理）
【図１】
2005052739.tif 000003
【図２】
2005052739.tif 000004
【図３】
2005052739.tif 000005
【図４】
2005052739.tif 000006